【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
撮像手段と、
フォーカス手段と、
前記撮像手段により撮像された画像データに基づいて、前記フォーカス手段によるフォーカスの基準となる第１の被写体を認識する第１の認識手段と、
前記第１の認識手段により第１の被写体が認識されると、前記第１の被写体にフォーカスするフォーカス制御手段と、
前記フォーカス制御手段の制御により前記第１の被写体にフォーカスされたときのフォーカスレンズのフォーカス位置を記憶する記憶手段と、
前記記憶手段によりフォーカス位置が記憶された後に、前記撮像手段による撮像の契機となる第２の被写体を認識する第２の認識手段と、
前記第２の認識手段により第２の被写体を認識されると、前記記憶されたフォーカス位置に基づいて、前記フォーカス手段を制御し、前記撮像手段により撮像された画像を記録する第１の記録手段と、
を備えたことを特徴とする撮像装置。
【請求項２】
前記フォーカス制御手段の制御により前記第１の被写体にフォーカスが合った状態で前記撮像手段により撮像された画像を記録する第２の記録手段を更に備えることを特徴とする請求項１記載の撮像装置。
【請求項３】
前記第１の記録手段は、
前記第２の認識手段により前記第２の被写体が認識されると、認識されてから一定時間経過後に、前記撮像手段により撮像された画像を記録することを特徴とする請求項１又は２に記載の撮像装置。
【請求項４】
前記第１の記録手段は、
前記第１の認識手段により前記第２の被写体が認識されると、直ちに前記撮像手段により撮像された画像を記録することを特徴とする請求項１乃至３の何れかに記載の撮像装置。
【請求項５】
前記第２の認識手段は、
所定の形状、所定の動き、所定の色のうち、少なくとも１つ以上を認識することにより前記第２の被写体を認識することを特徴とする請求項１乃至４の何れかに記載の撮像装置。
【請求項６】
時間を計時する計時手段をさらに備え、
前記第２の記録手段は、前記計時手段により一定時間が経過すると、前記第１の被写体にフォーカスが合った状態で前記撮像手段により撮像された画像を記録することを特徴とする請求項２記載の撮像装置。
【請求項７】
前記第１の認識手段、及び／又は前記第２の認識手段は、
前記撮像手段により撮像された画像データの中央領域又は所定領域の画像データに基づいて行うことを特徴とする請求項１乃至６の何れかに記載の撮像装置。
【請求項８】
前記第１の認識手段は、
顔を認識することを特徴とする請求項１乃至７の何れかに記載の撮像装置。
【請求項９】
フォーカス手段を備えた撮像装置のコンピュータを、
撮像された画像データに基づいて、前記フォーカス手段によるフォーカスの基準となる第１の被写体を認識する第１の認識手段、
前記第１の認識手段により第１の被写体が認識されると、前記第１の被写体にフォーカスするフォーカス制御手段、
前記フォーカス制御手段の制御により前記第１の被写体にフォーカスされたときのフォーカスレンズのフォーカス位置を記憶する記憶手段、
前記記憶手段によりフォーカス位置が記憶された後に、撮像の契機となる第２の被写体を認識する第２の認識手段、
前記第２の認識手段により第２の被写体を認識されると、前記記憶されたフォーカス位置に基づいて、前記フォーカス手段を制御し、前記撮像手段により撮像された画像を記録媒体に記録する記録手段、
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、撮像手段と、フォーカス手段と、前記撮像手段により撮像された画像データに基づいて、前記フォーカス手段によるフォーカスの基準となる第１の被写体を認識する第１の認識手段と、前記第１の認識手段により第１の被写体が認識されると、前記第１の被写体にフォーカスするフォーカス制御手段と、前記フォーカス制御手段の制御により前記第１の被写体にフォーカスされたときのフォーカスレンズのフォーカス位置を記憶する記憶手段と、前記記憶手段によりフォーカス位置が記憶された後に、前記撮像手段による撮像の契機となる第２の被写体を認識する第２の認識手段と、前記第２の認識手段により第２の被写体を認識されると、前記記憶されたフォーカス位置に基づいて、前記フォーカス手段を制御し、前記撮像手段により撮像された画像を記録する第１の記録手段と、を備えたことを特徴とする。
【手続補正３】
【補正対象書類名】明細書
【補正対象項目名】０００７
【補正方法】変更
【補正の内容】
【０００７】
また、請求項２の発明は、請求項１記載の撮像装置において、前記フォーカス制御手段の制御により前記第１の被写体にフォーカスが合った状態で前記撮像手段により撮像された画像を記録する第２の記録手段を更に備えることを特徴とする。
【手続補正４】
【補正対象書類名】明細書
【補正対象項目名】０００８
【補正方法】変更
【補正の内容】
【０００８】
また、請求項３の発明は、請求項１又は２に記載の撮像装置において、前記第１の記録手段は、前記第２の認識手段により前記第２の被写体が認識されると、認識されてから一定時間経過後に、前記撮像手段により撮像された画像を記録することを特徴とする。
【手続補正５】
【補正対象書類名】明細書
【補正対象項目名】０００９
【補正方法】変更
【補正の内容】
【０００９】
また、請求項４の発明は、請求項１乃至３の何れかに記載の撮像装置において、前記第１の記録手段は、前記第１の認識手段により前記第２の被写体が認識されると、直ちに前記撮像手段により撮像された画像を記録することを特徴とする。
【手続補正６】
【補正対象書類名】明細書
【補正対象項目名】００１０
【補正方法】変更
【補正の内容】
【００１０】
また、請求項５の発明は、請求項１乃至４の何れかに記載の撮像装置において、前記第２の認識手段は、所定の形状、所定の動き、所定の色のうち、少なくとも１つ以上を認識することにより前記第２の被写体を認識することを特徴とする。
【手続補正７】
【補正対象書類名】明細書
【補正対象項目名】００１１
【補正方法】変更
【補正の内容】
【００１１】
また、請求項６の発明は、請求項２記載の撮像装置において、時間を計時する計時手段をさらに備え、前記第２の記録手段は、前記計時手段により一定時間が経過すると、前記第１の被写体にフォーカスが合った状態で前記撮像手段により撮像された画像を記録することを特徴とする。
【手続補正８】
【補正対象書類名】明細書
【補正対象項目名】００１２
【補正方法】変更
【補正の内容】
【００１２】
また、請求項７の発明は、請求項１乃至６の何れかに記載の撮像装置において、前記第１の認識手段、及び／又は前記第２の認識手段は、前記撮像手段により撮像された画像データの中央領域又は所定領域の画像データに基づいて行うことを特徴とする。
【手続補正９】
【補正対象書類名】明細書
【補正対象項目名】００１３
【補正方法】変更
【補正の内容】
【００１３】
また、請求項８の発明は、請求項１乃至７の何れかに記載の撮像装置において、前記第１の認識手段は、顔を認識することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
上記目的達成のため、請求項９記載の発明によるプログラムは、フォーカス手段を備えた撮像装置のコンピュータを、撮像された画像データに基づいて、前記フォーカス手段によるフォーカスの基準となる第１の被写体を認識する第１の認識手段、前記第１の認識手段により第１の被写体が認識されると、前記第１の被写体にフォーカスするフォーカス制御手段、前記フォーカス制御手段の制御により前記第１の被写体にフォーカスされたときのフォーカスレンズのフォーカス位置を記憶する記憶手段、前記記憶手段によりフォーカス位置が記憶された後に、撮像の契機となる第２の被写体を認識する第２の認識手段、前記第２の認識手段により第２の被写体を認識されると、前記記憶されたフォーカス位置に基づいて、前記フォーカス手段を制御し、前記撮像手段により撮像された画像を記録媒体に記録する記録手段、として機能させることを特徴とする。
【手続補正１６】
【補正対象書類名】明細書
【補正対象項目名】００２０
【補正方法】変更
【補正の内容】
【００２０】
本願発明によれば、オートフォーカスによって、撮影トリガーとなる被写体以外の被写体にピントを合わせることができる。